(57)【特許請求の範囲】
【請求項１】
浴室暖房ユニットが挿入される開口部を囲む枠状であって、
前記開口部の周辺に前記浴室暖房ユニットを固定するための機器固定部と、
浴室天井の裏側空間にある構造体に支持される支持部と
を有する枠状体を備え、
前記機器固定部は、前記浴室天井よりも下側に配置され、
前記枠状体の外周縁で囲まれる領域が、前記浴室天井に既に開けられている天井穴を覆い隠せる大きさとされており、
さらに、前記支持部は、前記機器固定部の周辺に配置されており、
前記枠状体の前記浴室天井側の面には、前記天井穴の内面に当接するように起立した突出部が設けられている
ことを特徴とする浴室暖房ユニットの取付け用具。
【請求項２】
前記枠状体の浴室床側の面には、前記枠状体を化粧するための枠状の化粧カバー部が配置されるようになっており、
前記化粧カバー部の主面は、取付けられた際、前記浴室床側に凸となるように湾曲している
ことを特徴とする請求項１に記載の浴室暖房ユニットの取付け用具。
【請求項３】
前記化粧カバー部は、取付けられた状態において、前記枠状体の水平方向の四方を囲む壁部を有しており、
この四方を囲む壁部のうち長手方向に沿った壁部は、前記浴室天井に当接しないように切り欠き部を有する
ことを特徴とする請求項２に記載の浴室暖房ユニットの取付け用具。
【請求項４】
前記化粧カバー部は、その枠状を形成する開口側周縁に、浴室天井側に向かって延びる折り返し部が設けられており、この折り返し部のうち、前記主面を湾曲にすることで形成された最も床側に凸とされた部分に貫通孔を設けたことを特徴とする請求項２又は３に記載の浴室暖房ユニットの取付け用具。
【請求項５】
前記枠状体及び前記化粧カバー部を取付けた状態において、前記枠状体は、前記切り欠き部に対応した位置の端部が、浴室床側に折り曲げられていることを特徴とする請求項３に記載の浴室暖房ユニットの取付け用具。
【請求項６】
前記枠状体は、ビスや接着剤等の固着具により前記浴室天井と密着するようにした平坦面を有していることを特徴とする請求項１ないし５のいずれかに記載の浴室暖房ユニットの取付け用具。
【請求項７】
前記枠状体の前記平坦面には、前記固着具としてのビス等のネジ類を打ち込むための穴が形成されていることを特徴とする請求項６に記載の浴室暖房ユニットの取付け用具。
【発明の詳細な説明】
【技術分野】
【０００１】
本発明は、浴室暖房乾燥機等の浴室暖房ユニットを新しい浴室暖房ユニットに交換する際などに用いられる用具に関するものである。
【背景技術】
【０００２】
ガス給湯機等で作られる湯を循環させ、その湯を内蔵した熱交換器内に通すことで温風を作るタイプの温水式浴室暖房乾燥機がある。
図２３は、従来の浴室暖房乾燥機の取り付け構造例を示す図である（例えば、特許文献１参照）。
この図のように、浴室暖房乾燥機１は、浴室天井３と建物側天井２との間に配置して、浴室天井３に設けられた５６０×４３０ｍｍの天井穴４から浴室側に露出させている。この点、浴室暖房乾燥機１は、熱交換器が内蔵されているので重く、しかも、熱源用の湯が熱交換器内に入るとさらに重量が増す。このため、浴室暖房乾燥機１を浴室天井３、特にユニットバスの天井に直接載せる方法では浴室天井３が抜けてしまう。そこで、建物側天井（例えば、戸建ての張り、マンション等では上の階の住宅の床面等）２からボルト等６をつり下げ、このボルト等６に浴室暖房乾燥機１をつり下げることで、浴室天井３に浴室暖房乾燥機１の重さがかからないようにしている。
【０００３】
また、例えば住宅の購入後、ユニットバスに浴室暖房乾燥機を設置する場合において、浴室暖房乾燥機を設置したい場所の建物側天井が例えば石膏ボード等であって、対応する場所に根太等の張りが存在しなかったりして、建物側天井からボルトで上手く吊り下げることができないことがある。図２４は、このためのねじ釘やドリルビスを用いた浴室暖房乾燥機の取り付け構造例を示す図である。
【０００４】
図２４に示すように、ユニットバス１０の点検口１２から複数の角材１４Ａ〜１４Ｄを入れて、これら複数の角材１４Ａ〜１４Ｄをユニットバス天井１８でユニットバス１０の幅以上の長さになるように接続すると共に、ユニットバス１０の壁（例えばユニットバス天井部材とユニットバス壁部材を接合するリブ）１６の上に載せるようにしている。そして、この角材に浴室暖房乾燥機を取り付けることで、ユニットバス天井１８に加重がかからないようにしている。なお、このような取り付け構造は、その工事の容易性から、新築時に浴室暖房乾燥機を取り付ける際でも多用されている。
【先行技術文献】
【特許文献】
【０００５】
【特許文献１】特開２００１−２０１２５７公報
【発明の概要】
【発明が解決しようとする課題】
【０００６】
ところで、技術の進歩により、温水式浴室暖房乾燥機などの浴室暖房ユニットは、その集積度を上げて体積を小さくできるようになり、浴室天井に設ける天井穴のサイズが４１０×２８５ｍｍでも設置できる小型の温水式浴室暖房乾燥機が市場に販売されるようになった。
そして、建物やユニットバスの寿命に対して寿命の短い浴室暖房乾燥機は、買換・交換が必要になるため、需要者は小型の浴室暖房ユニットを購入する場合がある。ところが、新しい小型の浴室暖房ユニットを取付けようとすると、従来から設けられていた天井穴では孔が大き過ぎ、また、建物側天井の根太やユニットバス天井裏の角材等の構造体も上手く利用できない恐れがあり、これらが無駄になってしまう。
【０００７】
また、最近は、ミスト機能付きの浴室暖房ユニットも販売されているが、このミスト機能付きの機器の高さ寸法は、従来の温水式浴室暖房乾燥機に比べて大きいため、このミスト機能付きの浴室暖房ユニットについても、既に設けられている天井穴などの取付け構造では設置できないという問題も生じる。
【０００８】
本発明はこのような問題を解決するためのもので、従来から設けられていた浴室暖房ユニットの取り付け構造を利用して、支障なく、新しい浴室暖房ユニットを取り付けられる用具を提供することを目的とする。
【課題を解決するための手段】
【０００９】
上記目的は、請求項１の発明によれば、浴室暖房ユニットが挿入される開口部を囲む枠状であって、前記開口部の周辺に前記浴室暖房ユニットを固定するための機器固定部と、浴室天井の裏側空間にある構造体に支持される支持部とを有する枠状体を備え、前記機器固定部は、前記浴室天井よりも下側に配置され、前記枠状体の外周縁で囲まれる領域が、前記浴室天井に既に開けられている天井穴を覆い隠せる大きさとされており、さらに、前記支持部は、前記機器固定部の周辺に配置されており、前記枠状体の前記浴室天井側の面には、前記天井穴の内面に当接するように起立した突出部が設けられている浴室暖房ユニットの取付け用具により達成される。
【００１０】
請求項１の構成によれば、浴室暖房ユニットの取付け用具の枠状体は、浴室天井の裏側空間にある構造体に支持される支持部を有するため、例えば、建物の梁から吊り下げられたボルトとこの支持部とを接続して、当該枠状体を吊り下げることができる。また、枠状体は、浴室暖房ユニットが挿入される開口部を有し、この開口部周辺には浴室暖房ユニットを固定するための機器固定部を有しているため、開口部に浴室暖房ユニットを挿入して固定できる。このようにして、従来の取付け構造を利用して、浴室暖房ユニットを取付けることができる。
ここで、例えば高さのあるミスト機能付き浴室暖房ユニットが浴室天井裏に入りきらず、浴室天井から下側にはみ出してしまった場合であっても、枠状体の機器固定部は、浴室天井よりも下側に配置されているため、浴室天井よりも下側にある当該ユニットの取り付け部を機器固定部に接続することもできる。
そして、このような枠状体は、その外周縁で囲まれる領域が、浴室天井に既に開けられている天井穴を覆い隠せる大きさとされている。したがって、小型の浴室暖房ユニットを取り付けた際、そのユニットで隠しきれなかった天井穴の一部があっても、枠状体がその目隠しになる。
【００１１】
さらにここで、単に、例えば建物側の梁に既に吊り下げられている従来のボルトと支持部とを接続すると、新しい浴室暖房ユニットは小型であるため、支持部と機器固定部とが離間し、枠状体が変形することなく浴室暖房ユニットの重みを支持するには、枠状体の強度を大きくする必要があり、重くなってしまう。しかし、本発明の支持部は機器固定部に隣接して配置（周辺）されているため、そのような強度を大きくする必要なしに枠状体の変形を有効に防止することができる。
ところで、このように支持部を機器固定部の周辺に配置するということは、逆に支持部と接続される例えばボルトと天井穴の内面とが離間することになる。しかも、枠状体は浴室天井よりも下側に配置されている。そうすると、浴室内に衣服を干すための物干し竿が当たったり、或いは地震が起きたりすると、シャンデリアのように枠状体は大きく揺れてしまう（初期微動のＰ波ではなく主要動のＳ波によって揺れてしまう）ことが判明した。そして、この揺れにより、例えば入浴中に天井穴の中の暗闇が覗けるようになったりして、使用者に恐怖心を抱かせ、また、浴室天井と枠状体とが衝突したり擦れたりして音が発生し、さらに恐怖心を煽ると同時に機器の破損の原因にもつながる。ところが、本発明の場合、枠状体の浴室天井側の面には、天井穴の内面に当接するように起立した突出部が設けられている。したがって、枠状体が揺れようとしても、この突出部が天井穴の内面に当接して、その揺れを防止する。しかも、この突出部は、枠状体を取り付ける際に位置決めになって、例えば取りつけナットを締めた場合に枠状体が回動して位置がずれやすいといった問題が起き難く、役に立つ。特に、狭い浴室内の一人での取付け作業に際しての利便性は大きい。
【００１２】
請求項２の発明は、請求項１の構成において、前記枠状体の浴室床側の面には、前記枠状体を化粧するための枠状の化粧カバー部が配置されるようになっており、前記化粧カバー部の主面は、取付けられた際、前記浴室床側に凸となるように湾曲していることを特徴とする。したがって、化粧カバー部が浴室天井から緩やかに突出したような形態となり、機器固定部を浴室天井よりも下側に配置することで生じる出っ張り感ないし違和感を和らげることが出来る。
【００１３】
また、請求項３の発明は、請求項２の構成において、前記化粧カバー部は、取付けられた状態において、前記枠状体の水平方向の四方を囲む壁部を有しており、この四方を囲む壁部のうち長手方向に沿った壁部は、前記浴室天井に当接しないように切り欠き部を有することを特徴とする。このため、四方を囲む壁部で、枠状体の視認を遮って、化粧することができる。
ところで、長年、浴室暖房ユニットを設置していた場合、浴室天井を若干持ち上げるような形態で取付けられて浴室天井に歪みが生じている可能性があり、ユニットバスの天井の場合はなお更である。一方、化粧カバー部は新しく、そのような歪みがない。そうすると、化粧カバー部の壁部の端面近くにある浴室天井の歪みが、その対比によって目立ってしまう。ところが、本発明は、長手方向に沿った壁部が、浴室天井に当接しないように切り欠き部を有している。したがって、壁部端面を浴室天井から遠ざけて、浴室天井の歪みが分かり難くすることができる。特に、長手方向に沿った壁部は長いことから当該歪みを目立たせ易く、このため、長手方向の壁部に切り欠き部を設けることの意義は大きい。
【００１４】
請求項４の発明は、請求項２または３の構成において、前記化粧カバー部は、その枠状を形成する開口側周縁に、浴室天井側に向かって延びる折り返し部が設けられており、この折り返し部のうち、前記主面を湾曲にすることで形成された最も床側に凸とされた部分に貫通孔を設けたことを特徴とする。このため、壁部の切り欠き部から侵入した湯気等で生じる液体は、最も床側に凸とされた部分に集まり、貫通孔から水抜きされる。さらに天井等にシャワーをかけて洗浄した場合の進入水も水抜きできる。また、このように折り返し部に貫通孔を作ることで、貫通孔を下から見え難くできる。
【００１５】
請求項５の発明は、請求項３の構成において、前記枠状体及び前記化粧カバー部を取付けた状態において、前記枠状体は、前記切り欠き部に対応した位置の端部が、浴室床側に折り曲げられていることを特徴とする。したがって、切り欠き部を設けたとしても、そこから、取付け用具の中が見えることがない。
【００１６】
請求項６の発明は、請求項１ないし５のいずれかの構成において、前記枠状体は、ビスや釘等の固定具により前記浴室天井と密着するようにした平坦面を有していることを特徴とする。したがって、平坦面と浴室天井が密着することで、歪んだ浴室天井を平坦に矯正することができる。
【００１７】
請求項７の発明は、請求項６の構成において、前記枠状体の前記平坦面には、前記固着具としてのビス等のネジ類を打ち込むための穴が形成されていることを特徴とする。したがって、例えば作業員が一人であっても、ネジ類を容易に打ち込んで、歪んだ浴室天井を平坦に矯正することができる。
【発明の効果】
【００１８】
本発明によれば、従来から設けられていた浴室暖房ユニットの取り付け構造を利用して、支障なく、新しい浴室暖房ユニットを取り付けられる用具を提供することができる。
【図面の簡単な説明】
【００１９】
【図１】本発明の実施形態に係る取付け用具を用いて浴室暖房ユニットを設置した使用状態図。
【図２】図１の取付け用具と浴室暖房ユニット等に関する概略分解斜視図。
【図３】図１の取付け用具の枠状体であり、図３（ａ）は枠状体を浴室側から見た概略斜視図、図３（ｂ）は枠状体を天井裏側から見た概略斜視図。
【図４】図３のＡ−Ａ断面図。
【図５】設置した浴室暖房ユニット等の地震等の状況下における仮想図。
【図６】支持部周辺の概略縦端面図。
【図７】浴室暖房ユニットの取り付け構造を説明するための模式図。
【図８】図１の取付け用具の化粧カバー部であり、図８（ａ）は化粧カバー部を浴室側から見た斜視図、図８（ｂ）は化粧カバー部を天井裏側から見た斜視図。
【図９】枠状体と化粧カバー部とを接続した浴室暖房ユニットの取付け用具を浴室側から見た概略正面図。
【図１０】図１の取付け用具を用いて設置した浴室暖房ユニットを浴室側から見た概略斜視図。
【図１１】図３（ｂ）の枠状体の各変形例。
【図１２】本発明の実施形態に係る取付け用具を用いて浴室暖房ユニットをユニットバス天井裏の構造体に設置した使用状態図。
【図１３】図１２の使用状態における地震等の状況下の仮想図。
【図１４】浴室暖房ユニットの取付け用具の変形例に係る正面図。
【図１５】図１４の取付け用具の背面図。
【図１６】図１４の取付け用具の平面図。
【図１７】図１４の取付け用具の底面図。
【図１８】図１４の取付け用具の右側面図。
【図１９】図１４の取付け用具の左側面図。
【図２０】図１４のＢ−Ｂ断面図。
【図２１】図２０のＣ−Ｃ部分の拡大図。
【図２２】図１４の取付け用具の枠状体の斜視図。
【図２３】従来の浴室暖房乾燥機の取り付け構造例を示す図。
【図２４】従来の浴室暖房乾燥機の他の取り付け構造例を示す図。
【発明を実施するための形態】
【００２０】
以下に、本発明の好ましい実施形態を、図面を参照して詳しく説明する。なお、以下に説明する各図面において同一の符号が付されている箇所は共通する構成である。
〔浴室暖房ユニット及び取付け用具の全体構成と設置方法等〕
先ず、本発明の浴室暖房ユニットの取付け用具の理解が容易になるように、本取付け用具を使用した浴室暖房ユニットの設置方法と、当該設置し終えた状態の全体の概略構成を、図１及び図２をもって説明する。
図１及び図２は、買い替え乃至交換前の浴室暖房ユニット（以下、「旧式暖房ユニット」という）が設置されていた天井穴７０ａ等を利用して、新しい浴室暖房ユニット５０を設置する図であり、図１は、本発明の実施形態に係る浴室暖房ユニットの取付け用具（以下、「取付け用具」という）２０を用いて、浴室暖房ユニット５０を設置した使用状態図、図２は、図１の取付け用具２０と浴室暖房ユニット５０等に関する概略分解斜視図である。
【００２１】
先ず、本取付け用具２０を使用して浴室暖房ユニット５０を設置した状態の概略を説明する。
図１に示すように、買い替え乃至交換された小型の浴室暖房ユニット５０は、浴室側から浴室の天井穴７０ａへ挿入され、その温風の吹出し口５８ｂ等が浴室７２に露出するようにして、浴室天井７０と建物側天井６０との間の空間Ｓに配置されている。なお、浴室暖房ユニット５０を天井裏に挿入するための天井穴７０ａの開口面積は、旧式暖房ユニットの寸法に合わせて、例えば５６０×４３０ｍｍである。
浴室暖房ユニット５０は、浴室暖房機、浴室暖房乾燥機、及びミスト機能付きの浴室暖房乾燥機を含む機器であり、温水式や電気式を問わない。本実施形態の浴室暖房ユニット５０は、その例示として、浴室に温風とミストを吐出すると共に換気を行う機能を有するミスト機能付き浴室暖房乾燥機が図示してある。
この浴室暖房ユニット５０は、旧式暖房ユニットに比べて、水平方向の寸法が小さく、天井穴の開口面積が仮に４１０×２８５ｍｍであっても設置できる大きさである。一方、高さ方向の寸法については旧式暖房ユニットに比べて大きく、図１の場合、浴室天井７０と建物側天井６０との距離Ｈ１よりも大きいため、浴室天井７０よりも下側（浴室床側）に飛び出ている。
【００２２】
そして、浴室暖房ユニット５０は、図２に示すように、機器本体５１と、この機器本体５１のフランジ部５１ａに接続され、浴室側から視認されるフロントパネル５８とを有している。
機器本体５１は、図１に示すように、ガス給湯器等の熱源機（図示せず）から温水配管５２を通じて供給された温水を、胴部に内蔵した熱交換器５４で熱交換して温風にし、これをフロントパネル５８の吹出し口５８ｂから浴室内７２に送風するようになっている（暖房機能）。また、機器本体５１は、ファン５９でフロントパネル５８の吸気口５８ａから湿気を含んだ空気を吸い込む換気機能を有しており、この換気機能を有効に発揮させるため、浴槽７４の真上に設置されている。また、機器本体５１は、温水配管５２とは別の配管である給水管５６から送られてくる水を温水にして、これをフロントパネル５８のノズル噴出し口５８ｃから噴霧するミスト機能を有している。前記暖房機能と換気機能を同時に行う乾燥機能もまた有している。
【００２３】
このような浴室暖房ユニット５０は、浴室天井７０の裏側空間Ｓにある構造体に直接取り付けられるのではなく、取付け用具２０を介して取り付けられている。
取付け用具２０は、浴室暖房ユニット５０を設置するためもので、アダプターと言うこともでき、図１及び図２に示すように、全体的には厚い板状であって枠状の外観を呈し、枠状体２２と化粧カバー部２４を有している。
枠状体２２は、取付け用具２０の技術的機能を主に担うもので、アダプター本体と言うこともでき、化粧カバー部２４がなくても、これのみをもって後述する様々な機能を充足できる。この枠状体２２は、浴室天井７０の裏側空間Ｓにある構造体と接続され、吊った状態に支えられており、本実施形態の場合、建物側天井６０の梁や根太、或いはマンションの場合は上の階の住宅の床面等から垂直に下げられた長いボルト６２に接続して吊られている。
【００２４】
そして、このように吊られた枠状体２２に浴室暖房ユニット５０を接続することで、浴室暖房ユニット５０は支持されている。
具体的には、図２に示すように、枠状体２２は、中央領域に形成された開口部２２ａを囲む枠状とされ、この開口部２２ａの中心に向かって張り出す機器固定部２６と機器本体５１のフランジ部５１ａとがネジやビス等で接続されている。
なお、枠状体２２は、金属製の板材を適宜折り曲げ加工、ないし複数の金属製の板材を接合して形成されており、本実施形態の場合は、錆を考慮してステンレス鋼（例えばＳＵＳ４３０）が採用されている。
【００２５】
化粧カバー部２４は、枠状体２２を化粧するためカバーであり、本実施形態の場合、ＡＢＳ樹脂等の樹脂で形成されている。この化粧カバー部２４は、枠状体２２の側面に設けられた化粧カバー取付け部２８に対して、ネジやビス等で接続されている。そして、化粧カバー部２４も、枠状体２２の開口部２２ａと同様の形状を有する開口部８０を中央領域に有しており、この開口部８０の内側に、浴室暖房ユニット５０のフロントパネル５８が隙間を略開けないように配置される。
【００２６】
次に、浴室暖房ユニット５０の設置方法の概略を説明する。
浴室暖房ユニット５０を設置する前に、枠状体２２を先ず設置する。
具体的には、図２に示すように、既に建物側天井６０に設置してある古いボルト６６に、ボルト取付け用補助金具６４を介して、新しいボルト６２を連結する。補助金具６４は、ボルトの位置を枠状体２２の支持部３６の位置に合わせて内側にするための金具である（この点については後で詳細に説明する）。この補助金具６４は、新しいボルト６２を留めるための長円状の孔６４ｂが建物側天井６０と平行になるようにして、古いボルト６６の位置から延伸し、縦断面が建物側天井６０側に向かって開放した略コの字又は略Ｕの字状となっている。そして、この補助金具６４の孔６４ｂに新しいボルト６２を挿通して接続する。なお、上述したように、浴室暖房ユニット５０は浴室天井７０よりも下側（浴室床側）に飛び出るため、新しいボルト６２はそれに合わせて長さを決める。
【００２７】
次いで、この垂下した長いボルト６２を枠状体２２の支持部３６の孔に挿通して、ゴムパッキンを挟み込んでナット等で固定する。この際、枠状体２２は、浴室天井７０に対して平行になると共に、既に開けられている天井穴７０ａの位置と開口部２２ａの位置とが合うようにして取り付ける。また、枠状体２２は浴室天井７０より下側（浴室床側）に配置する。
次いで、枠状体２２の開口部２２ａの下側（浴室床側）から浴室暖房ユニット５０の機器本体５１を挿入し、枠状体２２の開口部２２ａに張り出す機器固定部２６と機器本体５１のフランジ部５１ａとをネジやビス等で接続することで、機器本体５１と枠状体２２とを接続する。
次いで、機器本体５１のフランジ部５１ａにフロントパネル５８を接続し、その後、枠状体２２の側面に設けられた化粧カバー取付け部２８にネジ留めなどして、枠状体２２に化粧カバー部２４を接続する。
【００２８】
〔枠状体２２について〕
浴室暖房ユニット５０及び取付け用具２０の全体構成や設置方法等の概略は以上の通りであり、次に、枠状体２２について、上述した図１及び図２に加え、図３及び図４を用いてさらに詳細に説明する。
図３は図１の取付け用具２０の枠状体２２であり、図３（ａ）は枠状体２２を浴室側から見た概略斜視図、図３（ｂ）は枠状体２２を天井裏側から見た概略斜視図である。また、図４は図３（ｂ）のＡ−Ａ概略断面図である。
枠状体２２は、天井穴に比べて小さな開口面積からなる開口部２２ａが、浴室側及び天井裏側から視認して天井穴と重なるように設置されている。また、開口部２２ａは、浴室暖房ユニットの水平方向の外形、及び取り付け手段に対応した形状とされ、本実施形態の場合は、図４のように、二点鎖線で示される機器本体５１の胴部５１ｂ（図２も参照）の水平方向の外形に対応した長方形状とされている。
【００２９】
そして、図３（ｂ）に示すように、枠状体２２の浴室天井側の面であって、長方形状の開口部２２ａの周縁部四隅には、開口部２２ａに向かって張り出す機器固定部２６が設けられている。この機器固定部２６は、機器本体のフランジ部５１ａの取付け孔５１ｃ（図２、図４参照）と対応した位置に貫通孔２６ａを有している。このように、貫通孔２６ａは開口部２２ａを通じて下側から視認可能とされ、機器本体のフランジ部の取り付け孔とビス留め等される（図２の浴室暖房ユニット５０は、胴部５１ｂのコーナーが、第１の機器固定部２６の開口部２２ａに出っ張った分えぐれており、図４の電気式の浴室暖房乾燥機ＥＢよりも、その分、水平方向の面積が小さい）。なお、本実施形態の浴室暖房ユニットの場合、図４に示すように、フランジ部５１ａは、後述する第２の機器固定部３０のフランジ状の先端部に、パッキング材（図示せず）を間に挟んで、当接するようになっている。
また、本実施形態の浴室暖房ユニットはミスト機能付きの機器であって、浴室天井より下側（浴室床側）に突出するため、その突出した長さに合わせて、図４に示すように、機器固定部２６も浴室天井７０より下側（浴室床側）に配置されている。
【００３０】
そして、本実施形態の枠状体２２は、開口部２２ａの周縁部に設けられた機器固定部２６は第１の機器固定部２６であり、さらに、枠状体２２を取付けた状態において、図３（ａ）に示すように、開口部２２ａの周縁部から下側（図１の場合の浴槽側）に突出してフランジ状の先端部を有する第２の機器固定部３０を有している。
この第２の機器固定部３０は、浴室暖房ユニットが開口部２２ａに挿入できない大きさである場合において、当該浴室暖房ユニットを接続するために用いられる。すなわち、設置する新しい浴室暖房ユニットが、例えば、図２の浴室暖房ユニット５０よりも水平方向の面積が大きい電気式の浴室暖房乾燥機ＥＢ（図４参照）であった場合、これを第２の機器固定部３０の水平な先端部３４ａにビス等で固定できるようにしている。なお、図３の第２の機器固定部３０は、開口部２２ａの周縁部全体が下側に垂直に突出（図３の場合、３０ｍｍ突出）して筒状とされた後、先端部３４ａが水平かつ外側に曲げられてフランジ状を形成している。
【００３１】
ところで、上述のように、第１の機器固定部２６は開口部２２ａに張り出しているため、第１の機器固定部２６が邪魔になって、水平方向の面積が大きい電気式の浴室暖房乾燥器ＥＢ（図４参照）は開口部２２ａから天井裏側Ｓに挿入できない。そこで、本実施形態の枠状体２２は、第１の機器固定部２６を取外し可能としている。
具体的には、図４に示すように、第１の機器固定部２６及び第２の機器固定部３０を、枠状体２２の開口部２２ａの周縁部２２ｂに一緒に接続している。すなわち、主面２２ｆの板厚が１ｍｍである枠状体２２の開口周縁部２２ｂに、板厚０．６ｍｍの断面Ｌ字状の金属板３２を、板厚１ｍｍの第１の機器固定部２６と共にネジやビス等２５で着脱可能に接続し、この金属板３２の下側に垂直に突出した突出部又は筒状部３２ａに、板厚１ｍｍの断面Ｌ字状の金属板３４が接合されている（つまり、金属板３２，３４で第２の機器固定部３０が構成されている）。
【００３２】
なお、第１の機器固定部２６を取り外すと、開口部２２ａの周縁部２２ｂ（特に四隅）の厚みＤ１は、２．６ｍｍから１．６ｍｍに減少してしまうが、電気式の浴室暖房乾燥器ＥＢは温水式に比べて熱交換器がなく、代わりにより軽いヒーターが入っているので総重量が軽いため、強度的にも問題はない。
かくして、本実施形態の枠状体２２によれば、高さ方向の寸法や水平方向の面積が異なる様々な浴室暖房ユニットを取り付けることができる。
【００３３】
そして、枠状体２２は、図３に示すように、浴室天井の裏側空間にある構造体に支持される支持部３６を有している。本実施形態の枠状体２２は、図１に示すように、建物側天井の梁等６０から垂下するボルト６２を介して支持されるため、図３の支持部３６は当該ボルトの直径に合わせた貫通孔とされている。
この支持部３６は、機器固定部２６の周辺に配置されている。このように、支持部３６を機器固定部２６の周辺に配置したのは、枠状体２２の変形を防止するためである。すなわち、古いボルト６６（図２参照）を転用して支持する等すると、支持部３６と機器固定部２６との距離が離れ、支持部３６と機器固定部２６との距離が離れるほど、図３（ａ）の二点鎖線で示すように、軽くするために全体が板状に形成された枠状体２２は浴室暖房ユニットの重みで撓んでしまう恐れがある。このため、本実施形態の場合、第１及び第２の機器固定部２６，３０が接続されている開口部２２ａの周縁付近に、支持部３６が形成されている。なお、支持部３６は、長方形状の開口部２２ａの周縁四隅付近、つまり、複数の第１の機器固定部２６，２６，２６，２６の夫々の近くに形成されている。
【００３４】
そして、図３（ｂ）及び図４に示すように、枠状体２２の浴室天井７０側の面には、天井穴７０ａの内面に当接するように起立した突出部４０が設けられている。この突出部４０の主な機能は、枠状体２２の水平方向の揺れ防止である。すなわち、上述のように支持部３６を第１の機器固定部２６（つまり開口部周縁）に近づけたため、浴室暖房ユニット等の地震等の状況下における仮想図である図５に示すように、支持部に接続されるボルト６２と天井穴７０ａの内面とが逆に離間することになる。しかも、枠状体２２は浴室天井７０よりも下側に配置されている。そうすると、浴室内に衣服を干すための物干し竿が当たったり、或いは地震が起きたりすると、シャンデリアのように枠状体２２は大きく揺れてしまう（初期微動のＰ波ではなく主要動のＳ波によって揺れてしまう）。そこで、図４に示すように、突出部４０を天井穴７０ａの内面に当接するように起立させることで、枠状体２２の揺れを防止している。また、この突出部４０は、枠状体２２を取り付ける際の位置決めにでき、例えば図２に示すように、取りつけナットＮＢを締めた場合に枠状体２２が回動して位置がずれ易いといった問題も解決してくれる。
【００３５】
具体的には、図３（ｂ）に示すように、開口部２２ａを間に挟むようにして、矩形状の枠状体２２の対角線上に２つの突出部４０−１，４０−２が設けられており、この２つの突出部４０−１，４０−２が矩形状の天井穴の４辺の内面すべてに当接するようになっている。すなわち、突出部４０−１，４０−２の夫々には、枠状体２２の主面２２ｆに対して直角に起立する２つの爪部４２ａ，４２ｂが設けられ、この２つの爪部４２ａ，４２ｂは互いに直角であり、矩形状の天井穴の隣接する２つの内面７０ａ−１，７０ａ−２（図２参照）に当接している。
【００３６】
そして、図３（ｂ）及び図４に示すように、枠状体２２は、ビスや接着剤等の固着具により、浴室天井と密着するようにした平坦面４８（図４参照）を有している。この平坦面４８は、突出部４０よりも外側の外周縁全周であって、長方形状の４辺に沿って設けられている。これにより、図２３に示すように、古いボルト６で浴室暖房乾燥機のフランジ部分が、長年、浴室天井３を支持していたために生じる浴室天井３の歪を、平坦に矯正することができる。また、図３（ｂ）に示すように、本実施形態の枠状体２２の平坦面４８には、固着具としてのビス等のネジ類を打ち込むための穴４９が予め形成されており、これにより、例えば作業員が一人であっても、ネジ類を容易に打ち込んで、歪んだ浴室天井を平坦に矯正することができる。なお、図４に示すように、施工をする際は、上記平坦面４８の上にゴム等のパッキング材５７を配置して、浴室天井裏の空間Ｓに湯や水が侵入しないようにしている。この点、パッキング材５７を平坦部４８の上に配置したとしても、パッキング材５７は図示するよりも実際は薄くて柔軟性があるため、平坦面４８を浴室天井７０に押しつけて、浴室天井７０を平坦に矯正できる。
【００３７】
そして、図１に示すように、枠状体２２は、その外周縁で囲まれる領域が天井穴７０ａを覆い隠せる大きさとされ、浴室暖房ユニット５０のフロントパネル５８と協働して、浴槽７４側から天井穴７０ａが覗かれることを防いでいる。
【００３８】
ところで、本実施形態の枠状体は以上のように構成されているため、図３（ｂ）及び図４に示すように、枠状体２２は、第２の機器固定部３０を開口周縁部２２ｂに接続することで、浴室天井側のアダプター本体（主面）２２ｆに段差部３３が形成されている。段差部３３は、浴室暖房ユニットの脱落を防止するための段部となる。
この点、この段差部３３の機能を説明する前に、枠状体及び浴室暖房ユニットの取付け構造を、図６及び図７を用いてさらに詳細に説明する。
図６は支持部周辺の概略縦端面図であり、図７は浴室暖房ユニットの取り付け構造を説明するための模式図である。なお、図７の右側半分は段差部３３を設けた状態を、左側半分は当該段差部を設けていない状態を示している。
【００３９】
図６に示すように、枠状体２２は、支持部の貫通孔にボルト６２を挿通し、支持部の上面と下面にクッション材４６，４７を介在させ、ボルト６２にナット４５を締め付けて、吊り下げるようになっている。そして、浴室暖房ユニットを枠状体２２の第１又は第２の機器固定部に接続すると、図６の一点鎖線で囲った図に示すように、浴室暖房ユニットの重みで下側のクッション材４６が圧縮し、浴室天井７０とパッキング材５７との間に隙間ＯＰが生じる恐れがある。そのため、この隙間ＯＰの有無を確認する作業が必要であり、作業員は点検口から天井裏に入って、天井裏側（暗闇側）に浴室側の光りが漏れてくることの確認をする場合がある。
【００４０】
一方、図７に示すように、浴室暖房ユニット５０の機器本体５１は、上述のように浴室側から天井穴（枠状体の開口部を含む）に挿入されるが、仮固定をするため、板状弾性体７７（通常２枚）が付いている場合が多い。この仮固定用板状弾性体７７は、機器本体５１の側面に設けられ、下方に向かうに従って外側に開くように形成されており、天井穴に挿入するときは窄み、天井穴を通過すると元に戻って、先端部が枠状体のアダプター本体（主面）２２ｆに当接するようになっている。
【００４１】
以上のような浴室暖房ユニット及び取付け用具の取り付け構造であるため、作業員が図６の浴室天井７０とパッキング材５７との間の隙間ＯＰの有無を確認するため、例えば点検口から身を乗り出し、不用意に仮固定用板状弾性体７７に触れると、仮固定用板状弾性体７７が図７の矢印方向に動いて、開口部２２ａから脱落する恐れがある。そうすると、図７の破線で示すように、浴室暖房ユニットの機器本体５１が開口部２２ａから脱落する非常に危険な状態となる。
【００４２】
ところが、本実施形態の枠状体は、図３（ｂ）、図４、及び図７の右側半分に示すように、アダプター本体（主面）２２ｆの仮固定用板状弾性体７７が当接する箇所よりも内側（開口部２２ａ側）に段差部３３を有する。より具体的に説明すれば、図４に示すように、開口部２２ａよりも浴室床側に配置されたフランジ状の第２の機器固定部３０を作るための断面Ｌ字型の金属板３２は、アダプター本体（主面）２２ｆの浴室側ではなく、開口部２２ａを超えた裏側である浴室天井側に接続されている。さらに、本実施形態の場合、第２の機器固定部３０の金属板３２の終端（段差部３３）は、開口部周縁２２ｂの約全周にわたり形成され、第１の機器固定部２６が第２の機器固定部３０の金属板３２に重ねて接続されているため、第１の機器固定部２６の取り付け状態に係わらず段差部３３の形成は維持される。したがって、図７の左側半分に示すように、仮固定用板状弾性体７７が矢印方向に動いたとしても、図７の右側半分に示すように、浴室天井側のアダプター本体（主面）２２ｆに形成された段差部３３と仮固定用板状弾性体７７とが係止して、仮固定用板状弾性体７７の脱落を防止することができる。
【００４３】
〔化粧カバー部２４について〕
次に、化粧カバー部２４について、上述した図１〜図４に加え、図８〜図１０を用いて詳細に説明する。
図８は、本実施形態に係る取付け用具の化粧カバー部であり、図８（ａ）はこれを浴室側から見た概略斜視図、図８（ｂ）は天井裏側から見た概略斜視図である。また、図９は、枠状体と化粧カバー部とを接続した取付け用具を浴室側から見た概略正面図、図１０は本実施形態に係る取付け用具を用いて設置した浴室暖房ユニットを浴室側から見た概略斜視図である。なお、図１０の一点鎖線で囲った図は、図１０の実線の円で囲った部分の概略拡大縦断面図（厚み方向に切断して、図１０の奥側を視た図）である。
【００４４】
化粧カバー部２４は、枠状体の浴室側を化粧するためのカバーであって、取付けられた状態において、枠状体の下側（浴槽側）の主面２２ｃ（図３参照）を覆う主面２４ｅを有すると共に、枠状体の水平方向（図３のＸＹ方向）の四方を囲む壁部２４ａ，２４ｂ，２４ｃ，２４ｄを有し、これにより枠状体を化粧している。
本実施形態の化粧カバー部２４は、全体的に水平方向から見て、キノコの天地を逆さにしたような傘状体を有しており、具体的には、図８（ａ）に示すように、浴室天井から下方に延びる壁部２４ａ等（キノコの茎部分）と、この壁部２４ａ等の端部から水平方向に延びて鍔状とされた主面２４ｅ（キノコの傘部分）とを有する。
また、化粧カバー部２４は中央領域に開口部８０を有し、枠状体と接続した状態において、開口部８０からは下側（浴槽側）から見て、図９のように枠状体２２の第１及び第２の機器固定部２６，３０が露出している。なお、この開口部８０には、図１０に示すように、浴室暖房ユニットのフロントパネル５８が挿入され、浴室暖房ユニット５０を設置し終えた状態では、図９に示す枠状体２２の第１及び第２の機器固定部２６，３０も視認不可となる。
【００４５】
このような、枠状の化粧カバー部２４は、図２及び図８に示すように、枠状体２２に対して、壁部２４ａ，２４ｂ，２４ｃ，２４ｄの側面方向から複数本（図８の場合は４本）のビス（化粧ネジ）等で固定される。すなわち、図８に示す対向する壁部２４ａ，２４ｃの夫々の孔８２が形成されたビス固定位置と、図２に示す枠状体２２の下側に舌片状に突出する化粧カバー取付け部２８とが固定用ビス８７で接続される。このビス固定位置は下から見て鍔状の主面（キノコの傘部分）２４ｅに隠れるため、その結果、例えば浴室内で使用される物干しバーの取付、取り外し時に、物干しバーが固定用ビス８７に当たらない構造とされる。したがって、固定用ビス８７が不用意にゆるむことがなく、化粧カバー部２４の落下が防止される。
【００４６】
さらに、この化粧カバー部２４の取り付け構造について説明すれば、図２・図８・図１０に示すように、化粧カバー部２４は、設置された際、浴室暖房ユニットの機器本体５１とフロントパネル５８の間に挟まれる縁状部３１を有している。すなわち、浴室暖房ユニットの機器本体５１とフロントパネル５８とはスプリングやビス等で連結、固定されるが、前記連結、固定を解除してフロントパネル５８を外し、かつ、固定用ビス８７を外して、初めて化粧カバー部２４が取り外せるようにした。したがって、万が一、固定用ビス８７がすべて脱落しても、化粧カバー部２４が落下することはない。
【００４７】
ここで、図８に示すように、枠状体の水平方向の四方を囲む壁部２４ａ，２４ｂ，２４ｃ，２４ｄのうち、長手方向（図８のＹ方向）に沿った壁部２４ｂ，２４ｄは、角部を残すようにして、浴室天井に当接しないように切り欠き部８６を有している。切り欠き部８６は、浴室天井の歪みを目立たなくするためのものである。
すなわち、上述のように、浴室天井に歪みが生じている場合、枠状体２２の平坦面（外周縁部）４８（図４参照）をビス等で浴室天井に連結させて、その歪みを矯正するが、それでも歪みが残る場合がある。この場合、壁部２４ａ，２４ｂ，２４ｃ，２４ｄを浴室天井に接触させると、壁部２４ａ等の平坦な端面との対比において、浴室天井の歪みが目立ってしまう。特に、長手方向に沿った壁部２４ｂ，２４ｄ付近の浴室天井については、その長さから当該歪みが目立ち易い。そこで、長手方向（図８のＹ方向）に沿った壁部２４ｂ，２４ｄの端面を浴室天井から遠ざけて、浴室天井の歪みを分かり難くしている。
なお、このように切り欠き部８６を形成することで、長手方向に沿った領域については、浴室側から化粧カバー部２４の内側が視認可能とされるが、本実施形態の枠状体は、図３及び図１０に示すように、切り欠き部８６に対応した位置の端部２２ｅが、浴室床側に折り曲げられている。したがって、切り欠き部８６を設けたとしても、そこから中が見えることもない。
【００４８】
また、浴室天井に歪みが生じていると、化粧カバー部２４の浴室暖房ユニットのフロントパネルが入る開口部８０に前記歪みの影響が出る場合がある。そこで、図８（ａ）及び図１０の一点鎖線で囲った図に示すように、化粧カバー部２４の開口部８０の内面と浴室暖房ユニットのフロントパネル５８とは、線・面で接触しないように、すなわち、たとえ化粧カバー部２４がゆがんでもフロントパネル５８を押し込むことができるように、開口部８０の内面に点接触用突起体３７を設け、点接触とした。本実施形態の点接触用突起体３７は、水平方向が矩形状の開口部８０の内面（具体的には後述する折り返し部８４の開口部８０側の面）の各四辺に、互いに略等間隔となるように複数設けられており、浴室内の使用者から見て（遠目で見て）、開口部８０の内面とフロントパネル５８とがほとんど密着して視認されるような出幅となっている。
【００４９】
そして、図８及び図１０に示すように、化粧カバー部２４の主面２４ｅは、取付けられた際、下側（浴室床側）に凸となるように湾曲しており、これにより、化粧カバー部２４が浴室天井から緩やかに突出したような形態となり、浴室天井よりも下側に配置することで生じる出っ張り感ないし違和感を和らげている。なお、本実施形態の化粧カバー部２４の主面２４ｅは、短手方向（図８のＸ方向）のみが湾曲している。
また、化粧カバー部２４には、軽量化と強度を図ると共に、フロントパネル５８と開口部８０との間の隙間から奥が覗けないようにするため、その枠状を形成する開口部８０の周縁全体が、浴室天井側に向かって垂直に延伸した折り返し部８４が設けられている。
【００５０】
そして、図８（ｂ）に示すように、折り返し部８４と壁部２４ａ，２４ｂ，２４ｃ，２４ｄとで囲まれた浴室天井側の主面２４ｆは、主面２４ｅを湾曲にしたことに伴って、浴室天井側から見て窪んでいる。この際、この窪んだ領域、特に最も下側に凸となる部分には水が溜り易い。すなわち、侵入した湯気が金属製の枠状体に接触して結露し、この結露水が湾曲する化粧カバー部内側の最下端に溜り易くなる。また、浴室天井にシャワーをかけて洗浄した場合も、その水が同じ場所に溜り易くなる。そこで、化粧カバー部２４は、浴室天井側から見て最も窪んだ部分、本実施形態の場合、短辺方向（図８のＸ方向）に沿った折り返し部８４，８４の中央部に、水抜き用の貫通孔２９が設けられている。
【００５１】
この貫通孔２９からの水滴排出を円滑に行わせるため、図１０の一点鎖線で囲った図に示すように、貫通孔２９と浴室暖房ユニットのフロントパネル５８との間に隙間が形成されるように、上述した点接触用突起体３７が配置されている。本実施形態の場合、複数の点接触用突起体３７，３７が、図８（ａ）に示すように、水抜き用貫通孔２９を間に挟むようにして、折り返し部８４の浴室天井側に配置されている。
【００５２】
また、貫通孔２９は、開口部８０に浴室暖房ユニットのフロントパネルが挿入された状態で、下から視認され難いように、図８（ａ）に示すように、折り返し部８４の浴室床側ではなく浴室天井側に形成されている。
さらに、この見られたくない部分の下からの視認防止について説明すれば、化粧カバー部２４の鍔状の主面２４ｅ及び前記縁状部３１も、その機能を発揮する。
すなわち、上述のように、化粧カバー部２４の主面２４ｅは鍔状であって、壁部２４ａ等よりも水平方向の外側に延びた傘状であるため、固定用ビス保護以外にも、壁部２４ａ等との対比において目立ち易い浴室天井面の歪みが入浴者から見え難くする役割も有する。
また、上述のように、点接触用突起体３７により、ゆがみ補正と、水滴排出を確実にする隙間を作ったが、この隙間があるがゆえに、光の差さない奥が隙間から暗闇として見えてしまう。そこで、浴室暖房ユニットの機器本体とフロントパネルとに挟まれる縁状部３１を設けることで、点接触用突起体３７で形成された隙間を終わらせている。
【００５３】
なお、図８（ａ）に示すように、折り返し部８４であって、開口部８０の周縁に接した部分には、凹部ないし切り込み部（以下、「凹部」という）８５が形成されており、この凹部８５によって画される空間が開口部８０及び浴室側空間とつながっている。この凹部８５は浴室暖房ユニットのフロントパネルを着脱する際の手掛かりであって、短辺方向（図８のＸ方向）に沿った二つの折り返し部８４，８４の夫々に一箇所形成されている。すなわち、浴室暖房ユニットのフロントパネルは、図１０の一点鎖線で囲った図に示すように、その側面５８ｄが主面５８ｅに対して垂直であって、この側面５８ｄに指をかけてフロントパネル５８を取り外すようになっている。ところが、この側面５８ｄは折り返し部８４の内面と略密着するように挿入されている。そこで、フロントパネル５８の着脱が容易となるように、手掛かりとなる凹部８５が設けられている。この凹部８５については、上述の水抜き用の穴である貫通孔７９が下から見えないように、貫通孔７９を避けて、短手方向（図８のＸ方向）の端側に設けられている。
【００５４】
本発明の実施形態に係る取付け用具２０は以上のように構成されており、枠状体２２は既存の構造体に支持される支持部３６を有し、かつ、浴室暖房ユニットが挿入される開口部２２ａの付近に第１及び第２の機器固定部２６，３０を有している。したがって、従来の取付け構造を利用して、浴室暖房ユニットを取付けられる。また、この枠状体２２は天井穴の目隠しともなる。
そして、第１の機器固定部２６は浴室天井よりも下側に配置されるため、浴室天井よりも下側にはみ出す浴室暖房ユニットでも取り付けることができる。また、第１の機器固定部２６に比べて外側に配置された第２の機器固定部３０により、水平方向の面積が大きな浴室暖房ユニットでも取り付けることができる。かくして、取付け用具２０は、様々な寸法を有する浴室暖房ユニットに対応できる取り付けアダプターとなる。
従って、この取付け用具２０により、大型の旧式暖房ユニットから、小型で新式の温水式浴室暖房ユニットに変更できるのは勿論のこと、小型だけれど高さのある新式のミスト機能付き温水式浴室暖房ユニットへ変更することもできる。また、大型の旧式暖房ユニットから電気式浴室暖房ユニットへ変更することもできる（この場合、第２の機器固定部を利用可能）。この点、例えば家族４人いたときは、ランニングコストが安いものの機器の価格が高い旧式暖房ユニットを使用していたが、家族構成が変化して、２人になった時には、ランニングコストが高いものの機器の価格が安い電気式の浴室暖房乾燥機に使用を変更する場合などに意義は大きい。また、電気式浴室暖房ユニットから小型で新式の温水式浴室暖房ユニットに変更することも勿論できる。
しかも、枠状体２２の支持部３６は機器固定部２６の周辺に配置されているため、枠状体２２の変形を有効に防止し、さらに、このように支持部３６を機器固定部２６の周辺に配置したとしても、突出部４０ｂにより地震等による揺れを防止できる。かくして、使用に際して支障のない取付け用具２０を提供できる。
【００５５】
ところで、本発明は上記実施形態に限定されず、種々の変形例を採用できる。
例えば、枠状体の突出部４０は、図３（ｂ）の枠状体の各変形例である図１１に示すような形態としても、枠状体２２の水平方向の揺れを防止できる。すなわち、図１１（ａ）の突出部４０−１は四角柱であり、矩形状の天井穴７０ａの対角線ＬＢ上にある２つの角部に合わせて、２本配置されている。このような構成でも、一つの四角柱の隣接する２側面が天井穴７０ａの隣接する２つの内面を規制できる。また、図１１（ｂ）の突出部４０−２は斜めに配置された平板状であるが、この場合でも、天井穴７０ａの対角線上にある２つの角部に合わせて配置することで、一つの突出部４０−２の上下方向に沿った側面が天井穴７０ａの隣接する２つの内面を規制できる。また、図１１（ｃ）の突出分４０−３は、天井穴７０ａの４辺の内面それぞれに対応して設けられている。
【００５６】
また、図１〜図１０では、建物側天井の梁などの構造体に、ボルトを介して取付け用具（具体的には枠状体）を接続したが、図１２に示すように、取付け用具２０を接続する構成はこれに限られない。すなわち、図１２では、ユニットバスＵＢの壁部又は壁部に接合されたリブＲＢの上に、複数の角材等を接合して構造体９０を載置し（角材等は点検口から挿入）、この構造体９０に対して、浴室天井穴の下まで配置されるように添え木９２をネジ釘や木ネジ等で接合し、この添え木９２に上述した枠状体をネジ釘や木ネジ等で接続している。この時、枠状体の添え木９２と接続される面が支持部３６に相当する。このような構造であると、浴室天井７０に加重をかけずに済むと共に工事も容易である。一方で、地震などがあると、構造体９０は図１３に示すように移動して落下する恐れがあり、図１３の矢印で示す隙間から内側が見えるだけでなく、最悪の事態では浴室天井７０を突き破る事態も想定される。この点、上述した実施形態では、取付け用具（枠状体）２０には突出部が設けられているため、水平方向の移動を規制できる。
【００５７】
また、本発明の取付け用具は、浴室暖房ユニットを一度も設置したことがなく、全く新しく設置する場合にも勿論用いることができる。特に、浴室天井裏の高さがないマンション等に本取付け用具を用いることの意義は大きい。
また、本発明の機器固定部や支持部の位置や数などは、以上の形態に限られるものではなく、取り付けようとする浴室暖房ユニットに合わせて、適宜選択される。例えば、第２の機器固定部は、図４に示すように、複数枚の金属板３２，３４からではなく、図６に示すように、一枚の金属板を折り曲げ加工して形成してもよい。
【００５８】
また、本発明の枠状体は、図１４〜図２２に示すように、穴４９（図３参照）がなく、貫通孔２６ａ（図３参照）にナットが溶接されていてもよい。すなわち、図１４〜図１９は上述した実施形態の変形例に係る取付け用具（枠状体と化粧カバー部とを組み合わせた状態であり、天井穴を目隠しするという意義に鑑みれば、浴室暖房乾燥機用の化粧パネルということもできる。）であり、図１４は正面図、図１５は背面図、図１６は平面図、図１７は底面図、図１８は右側面図、図１９は左側面図である。また、図２０は図１４のＢ−Ｂ断面図、図２１は図２０のＣ−Ｃ部分の拡大図、図２２は図１４の枠状体の斜視図である。
【符号の説明】
【００５９】
２０・・・取付け用具、２２・・・枠状体、２２ａ・・・開口部、２４・・・化粧カバー部、２６・・・（第１の）機器固定部、３０・・・（第２の）機器固定部、３６・・・支持部、４０・・・突出部、８６・・・切り欠き部
【図１】
0005386280.tif 000002
【図２】
0005386280.tif 000003
【図３】
0005386280.tif 000004
【図４】
0005386280.tif 000005
【図５】
0005386280.tif 000006
【図６】
0005386280.tif 000007
【図７】
0005386280.tif 000008
【図８】
0005386280.tif 000009
【図９】
0005386280.tif 000010
【図１０】
0005386280.tif 000011
【図１１】
0005386280.tif 000012
【図１２】
0005386280.tif 000013
【図１３】
0005386280.tif 000014
【図１４】
0005386280.tif 000015
【図１５】
0005386280.tif 000016
【図１６】
0005386280.tif 000017
【図１７】
0005386280.tif 000018
【図１８】
0005386280.tif 000019
【図１９】
0005386280.tif 000020
【図２０】
0005386280.tif 000021
【図２１】
0005386280.tif 000022
【図２２】
0005386280.tif 000023
【図２３】
0005386280.tif 000024
【図２４】
0005386280.tif 000025